(57)【要約】【課題】市場において転売された製品が正規製品であることを認証できる出荷製品認証システムを提供する。【解決手段】製品6に添付された出荷証明シール7には、製品関連情報、ならびに製品の識別コードおよび個々の製品を一意に特定するシリアルコードを暗号化した暗号化情報が書き込まれている。サーバ装置21は、携帯情報端末41から出荷証明シール7の認証を求められたとき、暗号化情報を復号化して得られた識別コードおよびシリアルコードを用いて前記暗号化情報が適正であるか否か判定すると共に、当該判定結果を携帯情報端末41に通知し、かつ前記暗号化情報が適正であると判定した場合、データベースに格納されたリストに、シリアルコードと携帯情報端末41の識別情報とを関連付けて掲載する。【選択図】図２
2018055149.tif 000002
【特許請求の範囲】
【請求項１】
製品に添付された出荷証明シールの認証を行うサーバ装置と、
前記製品に関連した情報を格納するデータベースと、
前記サーバ装置から提供された情報に基づいて前記出荷証明シールを作成するシール作成装置と、
前記製品を購入したユーザが、前記サーバ装置に対して前記出荷証明シールの認証を求める際に使用する携帯情報端末と、
前記サーバ装置と前記携帯情報端末との間でデータの送受信に用いられる通信ネットワークと、を備え、
前記出荷証明シールには、前記製品関連情報、ならびに前記製品の識別コードおよび個々の製品を一意に特定するシリアルコードを暗号化した暗号化情報が書き込まれ、
前記サーバ装置は、前記携帯情報端末から前記出荷証明シールの認証を求められたとき、
前記暗号化情報を復号化して得られた識別コードおよびシリアルコードを用いて前記暗号化情報が適正であるか否か判定すると共に、当該判定結果を前記携帯情報端末に通知し、
かつ前記暗号化情報が適正であると判定した場合、前記データベースに格納されたリストに、前記シリアルコードと前記携帯情報端末の識別情報とを関連付けて掲載することを特徴とする出荷製品認証システム。
【請求項２】
前記サーバ装置は、前記製品の識別コードが、予め前記データベースに格納された当該製品の識別コードと一致すること、および前記シリアルコードが任意のロジックに基づいて作成されていることを確認したとき、前記暗号化情報が適正であると判定する、請求項１に記載の出荷製品認証システム。
【請求項３】
前記サーバ装置は、適正であると判定した前記暗号化情報に含まれるシリアルコードが既に前記リストに掲載されているとき、前記リストに識別情報が掲載された携帯情報端末に対して、転売された事実の確認を求める、請求項１または２に記載の出荷製品認証システム。
【請求項４】
前記サーバ装置は、前記製品の種類毎に用意された秘密鍵を用いて前記識別コードおよびシリアルコードを暗号化する、請求項１ないし３のいずれかに記載の出荷製品認証システム。
【請求項５】
前記出荷証明シールに含まれる情報は、二次元コードに変換された状態で前記出荷証明シールに印刷される、請求項１ないし４のいずれかに記載の出荷製品認証システム。
【請求項６】
前記携帯情報端末にはアプリケーションソフトがインストールされ、
当該アプリケーションソフトは、前記出荷証明シールに掲載された二次元コードを撮影すると共にコードに含まれる情報を読み取り、かつ読み取られた情報のうち暗号化情報を前記サーバ装置に送信する機能を備える、請求項５に記載の出荷製品認証システム。
【請求項７】
前記出荷証明シールの代わりにＩＣカードを用い、かつ当該ＩＣカードのメモリには、前記製品関連情報および暗号化情報が格納されている、請求項１ないし５のいずれかに記載の出荷製品認証システム。
【請求項８】
製品に前記出荷証明シールを添付することを求めるメーカは、自己の使用するコンピュータを用い、前記ネットワークを介して前記サーバ装置に前記製品関連情報を送信する、請求項１ないし７のいずれかに記載の出荷製品認証システム。
【請求項９】
製品に添付された出荷証明シールの認証を行うサーバ装置であって、
前記出荷証明シールには、前記製品に関連した情報と、前記製品の識別コードおよび個々の製品を一意に特定するシリアルコードを暗号化した暗号化情報が書き込まれ、
前記製品を購入したユーザの使用する携帯情報端末から、通信ネットワークを介して前記出荷証明シールの認証を求められたとき、
前記暗号化情報を復号化して得られた製品の識別コードおよびシリアルコードを用いて前記暗号化情報が適正であるか否か判定すると共に、当該判定結果を前記携帯情報端末に通知し、
かつ前記暗号化情報が適正であると判定した場合、データベースに格納されたリストに、前記シリアルコードと前記携帯情報端末の識別情報とを関連付けて掲載することを特徴とするサーバ装置。
【請求項１０】
前記製品の識別コードが、予め前記データベースに格納された当該製品の識別コードと一致すること、および前記シリアルコードが、任意のロジックに基づいて作成されていることを確認したとき、前記暗号化情報が適正であると判定する、請求項９に記載のサーバ装置。
【請求項１１】
適正であると判定した前記暗号化情報に含まれるシリアルコードが既に前記リストに掲載されているとき、前記リストに識別情報が掲載された携帯情報端末に対して、転売された事実の確認を求める、請求項９または１０に記載のサーバ装置。
【発明の詳細な説明】
【技術分野】
【０００１】
本発明は、正規に出荷された製品に出荷を証明するシールを添付し、請求に応じてシールを認証することによりコピー品の流通を防止するシステム、およびそれに用いるサーバ装置に関する。
【背景技術】
【０００２】
正規の製造者になりすましてコピー品を流通させ、不正に利益を得る行為が横行しており、正規製品に対する信用を失墜させることになるため、そのような行為を防止するシステムが提案されている（特許文献１参照）。
【０００３】
特許文献１に記載のコピー品流通防止システムは、製品のシリアル番号と認証サイトへのアクセス情報が印刷されたシール（偽造防止ラベル）を製品に添付し、製品を購入したユーザがスマートフォン等の携帯情報端末を用いてシリアル番号をサーバ装置に送信し、予めサーバ装置に格納されている正規製品のシリアル番号と照合するものである。
【０００４】
特許文献１に記載のコピー品流通防止システムによれば、シールの認証をユーザのスマートフォン等を用いて簡易な方法で行うことができる。
【先行技術文献】
【特許文献】
【０００５】
【特許文献１】特開2014-56299号公報
【発明の概要】
【発明が解決しようとする課題】
【０００６】
特許文献１に記載のコピー品流通防止システムは、メーカから出荷された製品に添付されたシールが正規のものであるか否かを認証するシステムとしては優れたものであるが、一旦適正と判定されたシールについて、ユーザの求めに応じて再認証を行う場合、問題がある。
【０００７】
一旦、適正と判定されたシールについて再認証が求められる場合として、以下の２つのケースが考えられる。
【０００８】
第１のケースは、添付のシールにより正規製品であることが認証された製品について、シールと共に製品を他人に譲った後、転売先のユーザが再度、シールの認証を求める場合である。第２のケースは、正規製品を購入したユーザが、製品に添付されていたシールを偽造し、それをコピー品に添付して販売した後、コピー品の購入者が、添付されたシールについて認証を求める場合である。
【０００９】
シールが添付された製品が正規のものであるか否かを認証するためには、シールに印刷されたシリアルコード（番号）が目隠し材で覆われている必要があるが、既に認証を受けたシールは目隠し材が取り除かれており、シールを簡単に偽造できるために、シールが正規製品に添付されたものであるかコピー品に添付されたものであるかを判別できない。
【００１０】
このように、特許文献１に記載のコピー品流通防止システムは、製品が転売された後は、シールが添付された製品が正規の製品であることを認証する本来の機能を発揮することができない。
【００１１】
本発明はこのような状況に鑑みてなされたもので、市場において転売された製品が正規の製品であることを認証できるシステムを提供することを目的とする。
【課題を解決するための手段】
【００１２】
上記目的を達成するため、本発明に係る出荷製品認証システムは、
製品に添付された出荷証明シールの認証を行うサーバ装置と、
前記製品に関連した情報を格納するデータベースと、
前記サーバ装置から提供された情報に基づいて前記出荷証明シールを作成するシール作成装置と、
前記製品を購入したユーザが、前記サーバ装置に対して前記出荷証明シールの認証を求める際に使用する携帯情報端末と、
前記サーバ装置と前記携帯情報端末との間でデータの送受信に用いられる通信ネットワークと、を備え、
前記出荷証明シールには、前記製品関連情報、ならびに前記製品の識別コードおよび個々の製品を一意に特定するシリアルコードを暗号化した暗号化情報が書き込まれ、
前記サーバ装置は、前記携帯情報端末から前記出荷証明シールの認証を求められたとき、
前記暗号化情報を復号化して得られた識別コードおよびシリアルコードを用いて前記暗号化情報が適正であるか否か判定すると共に、当該判定結果を前記携帯情報端末に通知し、
かつ前記暗号化情報が適正であると判定した場合、前記データベースに格納されたリストに、前記シリアルコードと前記携帯情報端末の識別情報とを関連付けて掲載することを特徴とする。
【００１３】
ここで、前記サーバ装置は、前記製品の識別コードが、予め前記データベースに格納された当該製品の識別コードと一致すること、および前記シリアルコードが任意のロジックに基づいて作成されていることを確認したとき、前記暗号化情報が適正であると判定することが好ましい。
【００１４】
前記サーバ装置は、適正であると判定した前記暗号化情報に含まれるシリアルコードが既に前記リストに掲載されているとき、前記リストに識別情報が掲載された携帯情報端末に対して、転売された事実の確認を求めることが好ましい。
【００１５】
また前記サーバ装置は、前記製品の種類毎に用意された秘密鍵を用いて前記識別コードおよびシリアルコードを暗号化することが好ましい。
【００１６】
前記出荷証明シールに含まれる情報は、二次元コードに変換された状態で前記出荷証明シールに印刷されることが好ましい。
【００１７】
また前記携帯情報端末にはアプリケーションソフトがインストールされ、当該アプリケーションソフトは、前記出荷証明シールに掲載された二次元コードを撮影すると共にコードに含まれる情報を読み取り、かつ読み取られた情報のうち暗号化情報を前記サーバ装置に送信する機能を備えることが好ましい。
【００１８】
なお、前記出荷証明シールの代わりにＩＣカードを用いてもよい。その場合、当該ＩＣカードのメモリには、前記製品関連情報および暗号化情報が格納される。
【００１９】
また製品に前記出荷証明シールを添付することを求めるメーカは、自己の使用するコンピュータを用い、前記ネットワークを介して前記サーバ装置に前記製品関連情報を送信することが好ましい。
【００２０】
更に、本発明に係るサーバ装置は、製品に添付された出荷証明シールの認証を行うサーバ装置であって、
前記出荷証明シールには、前記製品に関連した情報と、前記製品の識別コードおよび個々の製品を一意に特定するシリアルコードを暗号化した暗号化情報が書き込まれ、
前記製品を購入したユーザの使用する携帯情報端末から、通信ネットワークを介して前記出荷証明シールの認証を求められたとき、
前記暗号化情報を復号化して得られた製品の識別コードおよびシリアルコードを用いて前記暗号化情報が適正であるか否か判定すると共に、当該判定結果を前記携帯情報端末に通知し、
かつ前記暗号化情報が適正であると判定した場合、データベースに格納されたリストに、前記シリアルコードと前記携帯情報端末の識別情報とを関連付けて掲載することを特徴とする。
【発明の効果】
【００２１】
本発明に係る出荷製品認証システムを用いれば、製品が転売された事実をシールの認証に反映させることができるため、コピー品の流通防止という観点において、システムの信頼性を一段と高めることができる。
【００２２】
更に、本発明のシステムによれば、従来のシステムと比較し、データベースに格納するデータ量を抑えることによって、運用コストを大幅に低減することができる。
【図面の簡単な説明】
【００２３】
【図１】本発明の実施の形態１に係る出荷製品認証システム全体構成を示す図である。
【図２】出荷証明シールの認証における処理の流れを示す図である。
【図３】出荷証明シール（ａ）、その中に書き込まれるデータ（ｂ）および書き込まれたデータの一例（ｃ）を示す図である。
【図４】メーカのパーソナルコンピュータと認証局のサーバ装置との間で行われる処理の流れを示すフローチャートである。
【図５】製品を購入したユーザがスマートフォンを用い、サーバ装置に対して出荷証明シールの認証を求める際の手順を示したフローチャートである。
【図６】図５に示した処理におけるスマートフォンの表示画面を示す図である。
【図７】正規性確認の手続きにおける処理の流れを示すフローチャートである。
【図８】図７に示した処理におけるスマートフォンの表示画面を示す図である。
【図９】ＤＢに格納されたリストの内容を確認する際のスマートフォンの表示画    面を示す図である。
【図１０】本発明の実施の形態２に係る出荷製品認証システムにおいて、スマートフォンとＩＣカードを重ねた状態を示す図である。
【発明を実施するための形態】
【００２４】
以下、本発明の実施の形態にかかる出荷製品認証システムについて、図面を参照して説明する。
【００２５】
（実施の形態１）
＜出荷製品認証システムの構成と各部の機能＞
図１は、本実施の形態に係る出荷製品認証システムの全体構成を示す図である。出荷製品認証システム１は、認証局２に設置されたサーバ装置２１、正規の製品を製造販売するメーカ（製造者）３が使用するパーソナルコンピュータ（以降、「ＰＣ」と云う）３１、製品を購入したユーザ４が、認証局２のサーバ装置２１にアクセスするために用いるスマートフォン４１、ならびに通信ネットワークであって、サーバ装置２１、ＰＣ３１およびスマートフォン４１との間でデータの送受信に用いられるインターネット５で構成されている。
【００２６】
これらのうち認証局２は、メーカ３の求めに応じて出荷証明シールを発行する役割と、製品を購入したユーザ４の求めに応じて、製品が正規のものであることを間接的に証明するために、製品に添付された出荷証明シールの正規性を認証する役割を担っている。
【００２７】
サーバ装置２１は、ウェブサーバおよびデータベースサーバの２つの機能を備え、通常は、認証局２の構内に設置される。ウェブサーバはＷＷＷ（World Wide Web）サーバとして機能し、データベースサーバは、データベース（以降、「ＤＢ」という）２２へのデータ書き込みやＤＢ２２からのデータ読み出しを行う。
【００２８】
サーバ装置２１は、処理部２１１、記憶装置２１２、入力部２１３および表示部２１４を備えている。処理部２１１は、記憶装置２１２に格納されたＯＳや各種プログラム、更にはデータに基づいて各種の処理を行う。
【００２９】
記憶装置２１２は、通常、大容量データの記憶が可能なハードディスクドライブで構成される。入力部２１３は、認証局２の担当者が必要なデータの入力を行うために用いられる。表示部２１４は液晶ディスプレイ等で構成され、各種の情報を表示するために用いられる。
【００３０】
記憶装置２１２には、ウェブサーバソフト、ユーザ管理ソフト、シリアルコード生成ソフト、暗号化ソフト、ＤＢＭＳ（Data Base Management System ）ソフト等の各種ソフトウェア（プログラム）が格納されている。処理部２１１は、記憶装置２１２から読み出したソフトウェアに基づいてサーバ装置の各種機能を実現する。
【００３１】
このうちウェブサーバソフトは、メーカ３のＰＣ３１やユーザ４のスマートフォン４１から要求があった場合に、ハイパーテキストデータを送信する機能を実現する。ユーザ管理ソフトは、ＰＣ３１やスマートフォン４１から送られてくるデータに基づいて、認証サービスを希望するメーカやユーザを管理する機能を実現する。
【００３２】
シリアルコード生成ソフトは、出荷証明シール７（図３（ａ）参照）に付与するシリアルコードを、任意のロジックに基づいて生成する。暗号化ソフトは、生成されたシリアルコードを、秘密鍵を用いて暗号化し、更に暗号化されたデータを復号化してシリアルコードを再生する。ＤＢＭＳソフトは、ＤＢ２２へのデータの書き込み、ＤＢ２２からのデータ読み出しを制御する。
【００３３】
ＤＢ２２には、通常、ハードディスクドライブが用いられ、ユーザ管理ＤＢ、ページＤＢおよび認証用ＤＢが格納されている。ユーザ管理ＤＢは、認証サービスを求めるメーカおよびユーザに関する各種情報を記録・管理するものである。ユーザ管理ＤＢには、氏名・名称、電話番号、メールアドレス等の一般的な情報のほか、必要に応じてユーザ認証に必要なユーザＩＤやパスワードが含まれる。これらの情報は、ＰＣ３１やスマートフォン４１から送信されたデータより取得される。
【００３４】
ページ情報ＤＢには、ウェブブラウザで処理可能なＨＴＭＬやＸＭＬで記述された、各種ページの作成に必要な情報が格納される。認証用ＤＢには、出荷証明シールの作成に必要な情報や、認証済みのシリアルデータと認証を求めたスマートフォンの識別情報のリストが格納される。
【００３５】
次に、メーカ３のＰＣ３１の構成と機能について説明する。ＰＣ３１は出荷証明シールの発行を希望するメーカ３が、シールの発行に必要な情報をサーバ装置２１に送信するために用いられる。
【００３６】
ＰＣ３１は、図示しないが、各種処理を実行する処理部、ＯＳや各種プログラム、データを格納する記憶装置、メーカの担当者がデータを入力する入力部、および情報を表示する表示部で構成されている。またＰＣ３１には、インターネットを利用するためのウェブブラウザソフトがインストールされている。
【００３７】
スマートフォン４１は電話機能を備えた携帯情報端末であり、電話機能やメール機能以外に、ＰＣ３１と同様、記憶装置に格納された各種プログラムにより、様々な機能を実現できる。本実施の形態では、認証局２のサーバ装置２１からダウンロードしたアプリケーションソフト（以降、「アプリソフト」と略す）をインストールすることによって、出荷証明シール７に印刷されたＱＲコード（登録商標）を自動的に読み取り、また認証局２のサーバ装置２１へアクセスできるようにしている。
【００３８】
認証局２のサーバ装置２１に接続された印刷機２３は、サーバ装置２１から提供されたＱＲコードのデータを台紙に印刷して出荷証明シール７を作成するもので、レーザプリンタ等で構成されている。
【００３９】
＜出荷製品認証システムにおける処理の流れ＞
出荷製品認証システム１の各部の機能について説明する前に、図２および図３を参照して、出荷証明シールを認証する際の手順を説明する。以下の説明では、メーカ３から正規の製品が出荷された場合について説明し、製品が転売された場合については、後にフローチャートを用いて詳述する。
【００４０】
本発明に係る出荷製品認証システムにおいては、メーカ３から販売された正規の製品に添付された出荷証明シールの掲載情報が、サーバ装置２１によって認証された場合、そのシールが添付された製品は正規の製品であるとする。
【００４１】
図２に、出荷証明シールの認証における処理の流れを示す。また図３に、製品に添付される出荷証明シール（ａ）、その中に書き込まれるデータ（ｂ）および書き込まれたデータの一例（ｃ）を示す。図３（ａ）に示す出荷証明シール（以降、単に「シール」とも云う）７を製品に添付して販売したいメーカ３は、ＰＣ３１を用いて認証局２のサーバ装置２１にアクセスし、その製品に関連する情報（以降、「製品関連情報」という）を送信して認証局２のＤＢ２２に登録する（ステップＡ）。
【００４２】
図３（ａ）に示すように、出荷証明シール７は、二次元コードの一種であるＱＲコード７２が台紙７１に印刷されたもので、ＱＲコード７２には、コード化された製品関連情報等が書き込まれている。
【００４３】
図３（ｂ）に示すように、製品関連情報には３種類の情報、すなわち法人企業に関する情報、製品の製造元に関する情報、および製品に関する情報が含まれる。図３（ｂ）の左欄には情報の種類が記載され、右欄には具体的な情報の内容が記載されている。
【００４４】
ＰＣ３１から製品関連情報を受信したサーバ装置２１は、これらの情報をＤＢ２２に格納する。またサーバ装置２１は、任意のロジックに基づいて個々の製品を一意に特定するシリアルコードを生成すると共に、予めＤＢ２２に格納された製品の種類毎に付与された識別データを読み出し、秘密鍵を用いてその製品の識別コードおよび個々の製品に付与されたシリアルコードを暗号化する。
【００４５】
なお、シリアルコードは、数字と英文字を一定の規則、体系に基づいて並べたものである。また識別コードには、それを製造したメーカの識別コードが含まれていてもよい。
【００４６】
サーバ装置２１は、このようにして暗号化された情報を、上述の製品関連情報と共にＱＲコードに変換した後、シール作成装置２３に送信し、台紙７１に印刷して、製品の数に対応した数の出荷証明シール７を発行する（ステップＢ）。
【００４７】
図３（ｃ）にＱＲコード７２に書き込まれた情報を示す。ＱＲコード７２には、図３（ｂ）に示した製品関連情報Ｉ１と、製品の識別コードおよび個々の製品に付与されたシリアルコードを暗号化した情報（以降「暗号化情報」という）Ｉ２が含まれる。
【００４８】
認証局２の担当者は、メーカ３の要望に応じて必要な枚数の出荷証明シール７を発行し、それをメーカ３に送付する（ステップＣ）。
【００４９】
出荷証明シール７を受け取ったメーカ３は、個々の製品６にシール７を添付した状態で市場に出荷する（ステップＤ）。シール７を製品６に添付する方法としては、梱包用のダンボールの中、もしくは密閉した袋に製品６とシール７を同梱し、ダンボールを開けるか袋を破らないと、シールを取り出すことができないような形態がよい。
【００５０】
市場で製品６を購入したユーザ４は、その製品がコピー品ではなく、ユーザ３から販売された正規の製品であることを確認したい場合、スマートフォン４１を用いて、出荷証明シール７に印刷されたＱＲコード７２に書き込まれた情報を読み取る。更に、読み取った情報のうち暗号化情報を、認証局２のサーバ装置２１に送信して、シール７が正規のものであることの認証を求める（ステップＥ）。
【００５１】
ユーザ４のスマートフォン４１からシール認証の要求と暗号化情報を受信したサーバ装置２１は、当該製品に対応した秘密鍵を用いて暗号化情報を復号化する。なお、暗号化情報を復号化できない場合、その段階で正規のシールでないと判定する。
【００５２】
続いてサーバ装置２１は、復号化された情報に基づいて認証を行う（ステップＦ）。具体的には、製品の識別コードがＤＢ２２に格納された当該製品の識別コードと一致するか否か確認する。識別コードが一致した場合、更に、シリアルコードが、任意のロジックに基づいて作成されたものであるか否かを確認する。
【００５３】
サーバ装置２１は、製品の識別コードが一致し、かつシリアルコードが任意のロジックに基づいて作成されたものであれば、シール掲載情報が適正で、正規の製品に添付されたシールであると判定する。一方、製品の識別コードが一致しない場合、またはシリアルコードが任意のロジックに基づいて作成されたものでない場合は、シールに書き込まれた情報が適正でなく、正規の製品に添付されたシールでないと判定する。
【００５４】
認証結果は、サーバ装置２１からユーザ４のスマートフォン４１に通知され、ユーザ４は認証結果に基づいて、購入した製品が正規の製品であるか否かを確認する（ステップＧ）。
【００５５】
最後にサーバ装置２１は、再生されたシリアルコードを、ユーザ４のスマートフォン４１の識別情報と共にＤＢ２２に格納する（ステップＨ）。スマートフォン４１の識別情報は、製品６が転売された後に、シール７が正規の製品に添付されたものであることを確認する際に用いられる。その際の手順については、後に詳述する。
【００５６】
＜認証における具体的な処理の流れ＞
次に、フローチャートを参照して、認証局２、メーカ３およびユーザ４における処理について具体的に説明する。最初に、図２におけるステップＡ〜Ｃの手順について説明する。図４に、メーカＰＣ３１と認証局のサーバ装置２１との間で行われる処理の流れを示す。図中、破線で囲ったステップおよび破線の矢印は、サーバ装置やＰＣを用いないで行う処理を示す。
【００５７】
出荷証明シール７の発行を希望するメーカ３は、ＰＣ３１を用いて、認証局２がサーバ装置２１に開設しているウェブサイトにアクセスする（ステップＳ１１）。サーバ装置２１は、これに応答して認証サービス申し込み用のページデータをＰＣ３１に送信する（ステップＳ２１）。
【００５８】
メーカ３の担当者が申し込み用の画面に製品関連情報（図３（ａ）参照）を入力した後、マウス等を用いて送信ボタンをクリックすると、ＰＣ３１は入力された情報をサーバ装置２１に送信する（ステップＳ１２）。サーバ装置２１は、企業毎および製品毎に識別コードを付与した後、受信した製品関連情報を認証の基礎データとしてＤＢ２２に登録する（ステップＳ２２）。
【００５９】
次にサーバ装置２１は、シリアルコード生成用ソフトを起動させて、メーカが希望するシールの数に対応した数のシリアルコードを生成する（ステップＳ２３）。引き続いてサーバ装置は、製品の種類毎に用意した秘密鍵を用いて、製品の識別コードおよび製品毎のシリアルコードを暗号化して、暗号化情報を作成する（ステップＳ２４）。
【００６０】
次に、サーバ装置２１は、上述の暗号化情報および製品関連情報をＱＲコードに変換した後、そのデータをシール作成装置２３に転送し（ステップＳ２５）、台紙上にＱＲコードを印刷して出荷証明シール７を作成する（ステップＳ２６）。作成された出荷証明シール７はメーカ３に送付され（ステップＳ２７）、その後、製品に添付されて市場に出荷される（ステップＳ１３）。
【００６１】
次に、図５および図６を参照して、図２のステップＥ〜Ｈの手順を説明する。図５は、製品を購入したユーザ４が、サーバ装置２１に対して出荷証明シール７の認証を求める際の手順を示し、図６は、その際のスマートフォン４１の表示画面を示す。
【００６２】
シール掲載情報の認証を求めるユーザ４は、認証の手続きを始める前に、スマートフォン４１を用いて、認証局２のウェブサイトにアクセスし（ステップＳ３１）、サーバ装置２１から認証に用いるアプリソフトをダウンロードする（ステップＳ４１）。スマートフォン４１にダウンロードされたアプリソフトはスマートフォンにインストールされる（ステップＳ３２）。
【００６３】
認証用アプリソフトは、ユーザ４がスマートフォン４１を用いて出荷証明シールの認証を行う際の負担を軽減するためのもので、認証に必要な手続き、具体的には、ＱＲコードの撮影と読み取り、読み取られた情報のサーバ装置２１への送信の一連の手続きを自動的に行なうものである。図６（ａ）にアプリソフトを起動したときのスマートフォン４１の画面を示す。
【００６４】
出荷証明シールの認証を希望するユーザ４は、スマートフォン４１にインストールされたアプリソフトを起動した後、ユーザ登録を行う（ステップＳ３３）。具体的には、図７（ａ）の画面の下段の「お客様情報設定」の部分を指先で触れ、サーバ装置２１からユーザ登録用の画面データをダウンロードすると共に、氏名、住所等の必要な情報を入力する。なお、ユーザ登録の内容は一般的に広く知られているため、ここでは説明を省略する。
【００６５】
次に、ユーザが画面の「製品の登録及び製品の認証」の部分に触れると、アプリソフトが、シール７に印刷されたＱＲコード７２の撮影およびデータの読み取り、読み取ったデータのサーバ装置２１への送信を行う（ステップＳ３４）。
【００６６】
図６（ｂ）に、撮影されたＱＲコード７２の画像を示す。撮影されたＱＲコード７２は、コード読み取り用のソフトを用いて文字等のデータに変換された後、暗号化情報（図３（ｃ）のＩ２）がサーバ装置２１に送信される。
【００６７】
暗号化情報を受信したサーバ装置２１は、暗号化を行った秘密鍵を用いて暗号化情報を復号化し、製品の識別コードと、当該シールのシリアルコードを再生する（ステップＳ４２）。
【００６８】
更にサーバ装置２１は、再生された製品の識別コードが、ＤＢ２２に格納された製品の識別コードと一致し、かつシリアルコードが任意のロジックに基づいて作成されたものであることを確認する（同ステップ）。
【００６９】
製品の識別コードが一致し、かつシリアルコードが任意のロジックに基づいて作成されている場合、それらの情報は適正であり、その暗号化情報が掲載されたシールは、正規の製品に添付されたものであると判定される。逆に、製品の識別コードが一致しないか、もしくはシリアルコードが任意のロジックに基づいて作成されていない場合、当該シールは適正ではなく、コピー品に添付されたシールである可能性が高いと判定される。
【００７０】
暗号化情報が書き込まれたシールが正規の製品に添付されたものであると判定された場合、サーバ装置２１は、ＤＢ２２に格納されたリストを読み出し、そのリストに今回認証されたシールのシリアルコードが含まれているか否か確認する（ステップＳ４３）。
【００７１】
このリストには、過去に認証されたシールのシリアルコードが掲載されている。具体的には、シリアルコード毎にＣＳＶファイルが作成され、サーバ装置２１の指示に従ってファイルにシリアルコードが書き込まれ、もしくはファイルから読み出される。
【００７２】
このリストにシリアルコードが掲載されていれば、そのシリアルコードが付与されたシールは、正規に販売された製品に添付されていたものであり、かつ過去に認証の手続きが行なわれたことがわかる。一方、今回認証されたシールのシリアルコードがリストに掲載されていない場合は、そのシリアルコードをリストに記入する（ステップＳ４３）。
【００７３】
その後、サーバ装置２１は、認証結果をユーザのスマートフォン４１に通知する（ステップＳ４４）。スマートフォン４１への通知内容は、シリアルコードがリストに掲載済みであるか否かによって変わる。
【００７４】
具体的には、暗号化情報が適正であると判定され、かつシリアルコードがリストに掲載されていなかった場合、ユーザのスマートフォン４１の画面には、図７（ｃ）に示すように「判定〇」が表示され、ユーザは、認証を求めたシールが正規の製品に添付されたものであることを確認できる。
【００７５】
図７（ｃ）に示されたスマートフォンの表示画面において、領域Ａ１には製品関連情報、Ａ２には判定結果、Ａ３には製品関連情報がＤＢ２２に登録された日付、Ａ４にはユーザが使用するスマートフォンの識別情報がそれぞれ表示される。
【００７６】
一方、暗号化情報が適正であると判定され、更にシリアルコードがリストに既に掲載されている場合、ユーザのスマートフォン４１の画面には、図７（ｄ）に示すように「判定△」が表示され、「他のスマートフォンで承認されています」とのコメントＣ１が併せて表示される。
【００７７】
「判定△」が表示された場合、過去に別のスマートフォン４１を用いて認証の手続きが行なわれたことを意味している。この場合、前回の認証手続きがなされた後に製品が転売された可能性があるため、正規性確認の手続き（ステップＳ４５）が行なわれる。正規性確認の手続きについては、後に図面を用いて詳述する。
【００７８】
一方、シールに書き込まれた暗号化情報が適正でないと判定され、シールの認証が否認された場合、ユーザのスマートフォン４１の画面には、図７（e）に示すように「判定×」が表示されると共に、「この製品は、コピー品の可能性があります」とのコメントＣ２が表示される。この場合、画面の領域Ａ１には「判定不可」とのコメントＣ３が表示され、領域Ａ３およびＡ４は空欄となる。
【００７９】
＜正規性確認手続きにおける処理の流れ＞
サーバ装置２１が、シールに書き込まれた暗号化情報が適正であると判定した後、ＤＢ２２に格納されたリストに同じシリアルコードが掲載されていることを確認した場合、サーバ装置２１は正規性確認の手続きを行う（ステップＳ４５）。
【００８０】
暗号化情報が適正であると判定されたシールのシリアルコードがリストに掲載される場合として、２つのケースが考えられる。第１のケースは、正規の製品が転売され、それを購入したユーザがシールの認証を求める場合である。
【００８１】
第２のケースは、正規の製品に添付されたシールを第三者が何等かの方法で入手した後偽造し、それをコピー品に添付して販売し、コピー品の購入者がシールの認証を求める場合であり、この場合には、購入者にコピー品である可能性を知らせる必要がある。
【００８２】
本実施の形態では、このような場合に対応するため、上述のリストに、認証を求めたユーザのスマートフォン４１の識別情報を、シリアルコードと共に掲載している。スマートフォン４１の識別情報には、電話番号およびＵＲＬを含むスマートフォン４１へのアクセス情報が含まれている。
【００８３】
以下、サーバ装置２１における正規性確認の手続き（ステップＳ４５）について、図７および図８を参照して説明する。図７は、正規性確認の手続きにおける処理の流れを示すフローチャート、図８は、その際のスマートフォンの表示画面を示す。
【００８４】
ＤＢ２２に格納されたリストに、認証されたシリアルコードのデータが掲載されていた場合、サーバ装置２１はリストに登録された前ユーザのスマートフォン４１ｂの識別情報を読み出し、電話番号およびＵＲＬを用いて前ユーザのスマートフォン４１ｂにアクセスすると共に、リストに登録済みの製品について正規性の確認を求める（ステップＳ５１）。その際、スマートフォン４１ｂの画面には、図８（ａ）に示すように「登録済み製品に追加承認要求」のコメントＣ４が表示される。
【００８５】
上述の通知を受けた前ユーザは、図８（ｂ）に示す画面を開いて製品の正規性について回答する（ステップＳ６１）。具体的には、正規性の確認を求めてきた製品が、前ユーザが正規に他人に譲ったものである場合「承認」のボタンにタッチし、そうでない場合「否認」のボタンにタッチする。
【００８６】
前ユーザが「承認」のボタンにタッチした場合、図８（ｃ）に示すように、スマートフォンの画面に「承認されました」「登録リストから削除されます」のコメントＣ６およびＣ７が表示される。コメントＣ７の意味は、今回の認証によってリストには、前回認証手続きを行なったスマートフォンの識別情報の代わりに、今回の認証手続きを行なったスマートフォンの識別情報が記入されるため、そのことを予め通知するもののである。
【００８７】
一方、前ユーザが「否認」のボタンにタッチした場合、図８（ｄ）に示すように、スマートフォンの画面に「否認されました」のコメントＣ８が表示される。
【００８８】
前ユーザのスマートフォン４１ｂから「承認」または「否認」の回答を受けた認証局のサーバ装置２１は、その結果を現ユーザのスマートフォン４１ａに通知する（ステップＳ５２）。前ユーザのスマートフォン４１ｂから「承認」の回答があった場合、現ユーザのスマートフォンの画面に「判定〇」が表示され、製品が前ユーザから正規の手続きを経て転売されたものであることを確認できる。
【００８９】
一方、否認の回答があった場合、現ユーザのスマートフォン４１ａの画面に「判定×」が表示され、製品が前ユーザから正規に転売されたものではなく、コピー品の可能性があることを確認できる。
【００９０】
続いてサーバ装置２１は、ＤＢ２２のリストに掲載されたスマートフォンの識別情報を、現ユーザのスマートフォン４１ａの識別情報に書き換える（ステップＳ５３）。
【００９１】
これら一連の手続きにより、現ユーザが製品を再度他人に譲り、転売先のユーザから添付シールの認証を求められた場合でも、現ユーザと同様に、転売先のユーザに対して正規性の確認結果を通知することができる。
【００９２】
＜従来のシステムとの相違点＞
表１に、特許文献１に記載された従来のコピー品流通防止システムと、本実施の形態に係る出荷製品認証システムとの相違点を列記する。以下、項目毎に、従来のシステムと本実施の形態のシステムとの違いについて説明する。
【００９３】
【表１】
2018055149.tif 000003
【００９４】
認証用のデータに関し、従来のシステムでは、製品毎のシリアルコード（番号）をＤＢに格納し、それをシール（偽造防止ラベル）のＱＲコードから読み出されたシリアルコード（番号）と比較していた。これに対し、本実施の形態のシステムでは、メーカ毎、製品の種類毎に設定された識別コードを比較するため、従来のシステムに比べて、ＤＢに格納されるデータ量および認証に要する時間を大幅に削減できる。
【００９５】
また本実施の形態の認証用データには、製品の識別コード以外に、シール毎に付与されたシリアルコードが含まれるが、このシリアルコードについては、従来システムのようにＤＢに格納されたコードと照合するのではなく、任意のロジックに基づいて作成されているか否かを判定するものであるため、認証する製品の数が増えたとしても、ＤＢに格納されるデータ量はほとんど増加しない。
【００９６】
また本実施の形態のシステムでは、製品関連情報は認証用のデータとは分離してＤＢに格納されている。このように取り扱うことにより、認証用のデータのデータ量を削減することができる。その一方で、スマートフォンの画面の領域Ａ１に表示される製品関連情報は、製品の識別コードと共にＤＢに格納されているため、表示に支障が生じることはない。
【００９７】
暗号化に関し、従来のシステムでは、認証の対象となるシリアルコード（番号）は暗号化されていなかった。そのため、シールに印刷されたシリアルコード（番号）を目隠し材で隠すためにスクラッチ加工等を施す必要があったが、本実施の形態では認証用の情報が暗号化されているため、スクラッチ加工を施す必要がなく、シールの製造コストを軽減できる。
【００９８】
ＤＢに格納されるリストの掲載対象に関し、従来のシステムでは、シールのＱＲコードに書き込まれたシリアルコードを照合することにより認証を行っていたため、全てのシールに印刷されたシリアルコードをリストに掲載する必要があった。
【００９９】
これに対し、本実施の形態のシステムでは、シリアルコードの照合を行わず、シリアルコードが任意のロジックに基づいて作成されているかどうかだけを確認している。そして、任意のロジックに基づいて作成されたシリアルコードのみを、認証済みのシリアルコードとしてリストに掲載している。従って、ユーザが認証を求めないシールに掲載されたシリアルコードはリスト掲載の対象とならない。
【０１００】
リスト掲載データに関し、従来のシステムでは、製品毎のシリアルコードに加えて製品関連情報がリストに掲載されていた。これに対し、本実施の形態のシステムでは、製品毎のシリアルコード以外に、認証を求めたユーザが使用したスマートフォンの識別情報が掲載される。
【０１０１】
以上総括すると、従来のシステムでは、リストには、製品に添付された全てのシールに印刷されたシリアルコードと製品関連情報が掲載されるため、認証の対象となる製品の数が増えるに従い、ＤＢに格納されるデータ量は膨大なものとなる。
【０１０２】
これに対し、本実施の形態のシステムでは、ユーザが認証を求めたシールのシリアルコードとスマートフォンの識別情報だけがリストに掲載されるため、従来のシステムに比較し、データ量を大幅に低減でき、結果として、ＤＢのメンテナンスに要する費用の大幅な削減を実現できる。
【０１０３】
更に、本実施の形態のシステムでは、リストには、ユーザから認証の求めがあったシールのシリアルコードだけが掲載されているため、製品の販売数に比較し対して、リストに掲載されるシリアルコードの数は左程多くはない。結果として、リストの検索時間は従来のシステムに比較して、大幅に短縮できる。
【０１０４】
＜リストの内容確認＞
ＤＢ２２に格納されたリストの内容を確認したいユーザは、スマートフォン４１を用いて認証局２のウェブサイトにアクセスすることにより、いつでもリストに掲載された情報を確認できる。以下、図９に示したスマートフォンの画面を参照して、その手順を説明する。
【０１０５】
リストの内容を確認したいユーザは、図９（ａ）に示すスマートフォンの画面の下段に表示された「登録製品リスト」を指で触れると、前述のアプリソフトによってリストのデータ読み出しの要求がサーバ装置２１に送信される。
【０１０６】
リストのデータ読み出しの要求を受信したサーバ装置２１は、スマートフォンの識別情報が一致するシリアルコードに関するデータをリストから読み出してユーザのスマートフォン４１に送信する。
【０１０７】
図９（ｂ）にリストのデータを受信したスマートフォンの表示画面を示す。図では、リストに３件の認証データが登録されていることを示している。ユーザが指先でリストの１つのデータに触れると、図９（ｃ）に示すように、認証されたときと同様の画面が表示される。
【０１０８】
画面に表示されたデータのうち領域Ａ２〜Ａ４に表示されたデータはＤＢ２２のリストから読み出されたデータ、領域Ａ１に表示されたデータは、ＤＢ２２に格納された製品関連情報から読み出されたデータである。
【０１０９】
（実施の形態２）
実施の形態１では、出荷証明シール７を製品６に添付し、そのシールに印刷されたＱＲコードの読み取りデータを用いて製品の正規性の認証を行った。これに対し、本実施の形態では、製品関連情報やシリアルコードのデータが格納されたＩＣカードを製品に添付し、ＩＣカードに格納されたデータを、ＮＦＣ対応のスマートフォンで読み取ることによって、製品の正規性の認証を行っている。
【０１１０】
ＮＦＣ（Near Field Communication）は近距離無線通信規格の一種であり、近年、スマートフォンに採用されるようになってきている。図１０に示すように、スマートフォン４１とＩＣカード４２を重ねることによって、ＩＣカード４２のメモリに格納されたデータをスマートフォン４１で簡単に読み取ることができる。読み取られたデータのうち暗号化情報は実施の形態１で説明したのと同様の手順によりサーバ装置２１に送信される。
【０１１１】
出荷証明シール７については複製が可能であるため、認証の手続きにおいて「判定△」の表示をしたが、ＩＣカードの場合、複製が不可能なため、「判定△」の表示を行う必要はない。既に他のスマートフォンで登録がされていた場合、上書きによって暗号化情報が適正か否かの判定を行う。
【符号の説明】
【０１１２】
１  出荷製品認証システム
２  認証局
３  メーカ
４  ユーザ
５  インターネット
６  製品
７  出荷証明シール
２１  サーバ装置
２２  ＤＢ
２３  シール作成装置
３１  ＰＣ
４１  スマートフォン
４２  ＩＣカード
７１  台紙
７２  ＱＲコード
２１１  処理部
２１２  記憶装置
２１３  入力部
２１４  表示部
Ａ１〜Ａ６  領域
Ｃ１〜Ｃ７  コメント
【図１】
2018055149.tif 000004
【図２】
2018055149.tif 000005
【図３】
2018055149.tif 000006
【図４】
2018055149.tif 000007
【図５】
2018055149.tif 000008
【図６】
2018055149.tif 000009
【図７】
2018055149.tif 000010
【図８】
2018055149.tif 000011
【図９】
2018055149.tif 000012
【図１０】
2018055149.tif 000013